(57)【特許請求の範囲】
【請求項１】
基材紙に保湿系成分の入った薬液が含浸されて成る家庭用薄葉紙の積層体を内部に収納した容器本体を備える家庭用薄葉紙入り家庭用薄葉紙収納箱において、
前記積層体の嵩高さは、前記容器本体の嵩高さに対して８３〜１００％であり、
前記積層体の断面積は、前記容器本体の断面積に対して７２〜１００％であり、
前記基材紙に対する薬液塗布率は２５〜２９ｗｔ％であり、且つ、
前記基材紙は、１枚当たりの米坪が１６〜１８g/m２であり、乾燥紙力（縦方向）が３５０〜４５０ｃＮ、乾燥紙力（横方向）が１３０〜１７０ｃＮ、湿潤紙力（横方向）が６０〜１００ｃＮであることを特徴とする家庭用薄葉紙入り家庭用薄葉紙収納箱。
【請求項２】
前記基材紙に乾燥紙力剤が含有されていることを特徴とする請求項１記載の家庭用薄葉紙入り家庭用薄葉紙収納箱。
【発明の詳細な説明】
【技術分野】
【０００１】
本発明は、保湿系成分が入った薬液が含浸された家庭用薄葉紙を収納した家庭用薄葉紙収納箱に関する。
【背景技術】
【０００２】
従来、薄葉紙に対し、グリセリン、プロピレングリコール等の多価アルコール、ソルビトール、グルコース等の保湿系成分を配合したローションティッシュペーパーが知られている（特許文献１）。これらは、乾燥した状態の汎用ティッシュペーパーと同様に、複数枚のティッシュペーパーを２枚１組として所謂ポップアップ方式で折り畳んで略直方体の収納箱に収納される。
近年、このようなローションティッシュペーパーにおいて、しっとり感をよりアップさせた商品のニーズが高まっているが、しっとり感をよりアップさせるためには、保湿系成分が入った薬液の含浸量を増やす必要がある。
【先行技術文献】
【特許文献】
【０００３】
【特許文献１】特開２００５−３４２２７５号公報
【発明の概要】
【発明が解決しようとする課題】
【０００４】
しかしながら、ローションティッシュペーパーは、汎用ティッシュペーパーと異なり、ティッシュペーパー同士又はティッシュペーパーと収納箱とが滑りやすく、出荷後に収納箱内でローションティッシュペーパーの積層体が崩れたり、回転したりしやすい。従って、薬液の含浸量を増やすと、ローションティッシュペーパー自体のコシ（曲げ特性）が低下するため、上記積層体の崩れや回転が助長されてしまうという問題があり、薬液の含浸量を増すことができなかった。
【０００５】
本発明の課題は、薬液の含浸量を増やしても箱内部で家庭用薄葉紙の積層体の形態を好適に維持することができる、家庭用薄葉紙入り家庭用薄葉収納箱を提供することにある。
【課題を解決するための手段】
【０００６】
前記課題を解決するために、請求項１に記載の発明は、
基材紙に保湿系成分の入った薬液が含浸されて成る家庭用薄葉紙の積層体を内部に収納した容器本体を備える家庭用薄葉紙入り家庭用薄葉紙収納箱において、
前記積層体の嵩高さは、前記容器本体の高さ寸法に対して８３〜１００％であり、
前記積層体の断面積は、前記容器本体の断面積に対して７２〜１００％であり、
前記基材紙に対する薬液塗布率は２５〜２９ｗｔ％であり、且つ、
前記基材紙は、１枚当たりの米坪が１６〜１８g/m２、乾燥紙力（縦方向）が３５０〜４５０ｃＮ、乾燥紙力（横方向）が１３０〜１７０ｃＮ、湿潤紙力（横方向）が６０〜１００ｃＮであることを特徴とする。
【０００７】
請求項２に記載の発明は、請求項１記載の家庭用薄葉紙入り家庭用薄葉紙収納箱において、前記基材紙に乾燥紙力剤が含有されていることを特徴とする。
【発明の効果】
【０００８】
請求項１記載の発明によれば、基材紙に保湿系成分の入った薬液が含浸されて成る家庭用薄葉紙の積層体を内部に収納した容器本体を備える家庭用薄葉紙収納箱において、積層体の嵩高さは、容器本体の嵩高さに対して８３〜１００％であり、積層体の断面積は、容器本体の断面積に対して７２〜１００％であり、基材紙に対する薬液塗布率は２５〜２９ｗｔ％であり、且つ、基材紙は、１枚当たりの米坪が１６〜１８g/m２、乾燥紙力（縦方向）が３５０〜４５０ｃＮ、乾燥紙力（横方向）が１３０〜１７０ｃＮ、湿潤紙力（横方向）が６０〜１００ｃＮである。
よって、基材紙の曲げ特性が上がることとなり、薬液の含浸量を増やしても容器本体内部で家庭用薄葉紙の積層体の形態を好適に維持することができる。
【０００９】
請求項２記載の発明によれば、前記基材紙に乾燥紙力剤が含有されているので、基材紙の紙力を高めることができる。
【図面の簡単な説明】
【００１０】
【図１】本発明の家庭用薄葉紙収納箱の平面斜視図である。
【図２】積層体を示す模式図である。
【発明を実施するための形態】
【００１１】
以下、図を参照して、本発明の実施の形態を詳細に説明する。なお、発明の範囲は、図示例に限定されない。
【００１２】
本発明の家庭用薄葉紙入り家庭用薄葉紙収納箱１は、基材紙に保湿系成分の入った薬液が含浸されて成る家庭用薄葉紙（以下、薄葉紙という）２０の積層体Ｓを内部に収納した容器本体１０を備えて構成されている。
【００１３】
容器本体１０は、例えば、長手方向の長さ（Ｗ）が２４３ｍｍ、短手方向の長さ（Ｄ）が１１５ｍｍ、高さ（Ｈ）が９０ｍｍの略直方体状（六面体形状）に形成されている。
具体的には、容器本体１０は、例えば、略長方形状の上面１１と、上面１１と同形状の底面１２と、上面１１及び底面１２の４つの側縁部同士をそれぞれ連結する４つの側面１３、１４、１５、１６と、等を備えて構成される。
なお、以下の説明において、容器本体１０の長手方向をＸ方向、短手方向をＹ方向、高さ方向をＺ方向とする。
【００１４】
上面１１の略中央には、例えば、上面１１の長手方向に長尺な楕円形状の取出口１７が設けられている。この取出口１７は、上面１１に設けられたミシン目を切って、上面１１の一部を切り取ることにより形成される。
取出口１７には、当該取出口１７を被覆するフィルム１８が、接着剤等によって上面１１の内側の面に貼着されることで備えられている。
フィルム１８の略中央には、スリット１９が設けられている。スリット１９の長さは、例えば、取出口１７の長手方向の長さと略同一となるよう設定されており、スリット１９を通して内部の薄葉紙２０を取り出すことができるようになっている。
また、容器本体１０において、例えば、上面１１、底面１２、側面１３〜１６、は、紙製のシート材からなり、フィルム１８は、例えばポリエチレンやポリプロピレンなどのプラスチック製である。なお、容器本体１０の材質はこれに限定されない。
【００１５】
次に、容器本体１０に収納される薄葉紙２０について説明する。
本発明の薄葉紙２０は、基材紙に保湿系成分の入った薬液が含浸されて成る、所謂ローションティッシュペーパーである。
この薄葉紙２０は、例えば、１枚ずつ或いは複数枚を１組として折り畳まれて積層体Ｓを形成し、略直方体の上記容器本体１０に収納されてティシュペーパー製品などとして使用される。
【００１６】
具体的に、薄葉紙２０は、基材紙に、従来より使用されるグリセリン、プロピレングリコール等の多価アルコール、ソルビトール、グルコース等の保湿系成分を少なくとも１種以上含有する薬液を含浸して形成されており、基材紙に対する薬液塗布率は２５〜２９ｗｔ％となっている。
薬液塗布率がこの範囲内の値を満たすことで、水分率が１２〜１３％となり、薄葉紙２０にしっとり感を付与することができる。
【００１７】
一方、上記の薬液塗布率を達成すると、薄葉紙２０の曲げ特性値が低下する為、容器本体１０に収納された積層体Ｓはよれやすく、崩れが発生しやすくなるので、紙力を上げる必要がある。
そこで、薄葉紙２０の基材紙は、１枚当たりの米坪が１６〜１８g/m２であって、乾燥紙力（縦方向）が３５０〜４５０ｃＮ、乾燥紙力（横方向）が１３０〜１７０ｃＮ、湿潤紙力（横方向）が６０〜１００ｃＮとなっている。
このように構成することで、薄葉紙２０は、曲げ剛性（Ｂ値）が０．０５３〜０．０７１ｇ・ｃｍ２／ｃｍとなるように設計されている。
【００１８】
なお、このとき、この薄葉紙２０の基材紙には、乾燥紙力剤が含有されている。
乾燥紙力剤としては、例えば、ポリアクリルアミド、カチオン澱粉などが挙げられる。
こうした乾燥紙力剤は、原料に内添されることで、セルロース分子中の水酸基と結合し、繊維間の水素結合の数と質を向上させることによって強度を増加させる。
具体的には、例えば、ローションティッシュペーパーの生産においては、カチオン澱粉を用い、１．５〜４．５ｋｇ／ｔの範囲で添加量をコントロールして、紙力が規格内に収まるように調整する。特に、添加量が少ないと十分な紙力値が得られず、多いとコストアップとなる為、２．０〜２．５ｋｇ／ｔの範囲で添加量をコントロールすることが好ましい。
【００１９】
また、紙力値をコントロールする方法としてＤＤＲが挙げられる。ＤＤＲは、原料を叩解（レファイニング）し、水で膨潤したパルプに機械的な衝撃力を加えることで、パルプ繊維を毛羽立たせ（フィブリル化）、繊維間結合面積を増すことで、紙の強度を向上させることができる。なお、ＤＤＲ後のフリーネスで４５０〜６８０ｃｃの範囲とすることが好ましい。
【００２０】
また、積層体Ｓの崩れやすさは、当該積層体Ｓの出荷時（初期状態）の嵩高さにも依存する。即ち、出荷時（初期状態）において容器本体１０内部に隙間が多ければ、積層体Ｓが崩れたり、回転したりしやすくなる。
そこで、例えば、Ｘ方向の長さが２３２ｍｍ、Ｙ方向の長さが１００ｍｍの薄葉紙２０は、出荷時において、７５ｍｍの高さとなるように積層されることが好ましい。
即ち、積層体Ｓは、容器本体１０の高さ寸法に対して８３〜１００％の嵩高さを有し、容器本体１０の断面積に対して７２〜１００％の断面積となるように形成して容器本体１０に収納されることが好ましい。
上記の嵩高さ及び断面積とすることで、出荷後、容器本体１０内部の隙間に依存して、積層体Ｓが崩れたり、回転して縦入れになったりするのを防止できる。
【００２１】
＜実施例＞
以下に実施例を挙げて本発明をより具体的に説明する。なお、本発明はこれに限定されるものではない。
【００２２】
（積層体）
実施例１〜６及び比較例１〜３として、薬液、薬液塗布率（ｗｔ％）、積層体嵩高さ（ｍｍ）を表１のように設定した積層体サンプルを作成した。
【００２３】
また、実施例１〜６及び比較例１〜３の積層体サンプルにおいて、曲げ特性（曲げ剛性（Ｂ値））及び表面特性（摩擦係数（ＭＩＵ）、摩擦係数の変動（ＭＭＤ））は、表１の通りである。
ここで、曲げ剛性（Ｂ値）は、値が小さい程柔らかい。また、摩擦係数（ＭＩＵ）は、値が小さい程滑りやすく、摩擦係数の変動（ＭＭＤ）は、値が小さい程表面が滑らかである。
【００２４】
（官能評価）
上記の実施例１〜６及び比較例１〜３の積層体サンプルに対して、しっとり感及び滑らかさの２項目について評価者２２名の官能評価にて評価した。
具体的には、評価者２２名が各積層体サンプルに対して、優れる場合は５、やや優れる場合は４、普通の場合は３、やや悪い場合は２、悪い場合は１として点数をつけ、２２名の合計点を平均化して、その平均点によって以下の４段階の基準により評価した。
◎：非常に良い、○：良い、△：普通、×：悪い
【００２５】
（回転試験）
上記の実施例１〜６及び比較例１〜３の積層体サンプルを、回転試験器を用いてＸ方向が軸となるように（図１の矢印方向に）回転させて積層体の崩れの有無を確認し、以下の基準により評価した。
◎：崩れ無し、○：ほとんど崩れ無し、×：崩れ有り
なお、積層体の崩れの検証に関しては、出荷前のサンプルを回転試験器で１００回回転させて崩れの有無を確認することにより、出荷エリアを想定した２０００ｋｍの輸送テストと同様の検証結果が得られることがわかっている。
【表１】
0005399842.tif 000002
【００２６】
表１に示すように、曲げ剛性（Ｂ値）が０．０５３〜０．０７１ｇ・ｃｍ２／ｃｍの範囲内で、積層体の嵩高さが７５ｍｍ以上であれば、しっとり感及び滑らかさを好適に維持できると共に、崩れも発生しないことがわかる。
従って、上記の範囲であれば、積層体の崩れが発生するのを防止しつつ、薄葉紙にしっとり感を付与することができる。
【００２７】
以上のように、本実施形態の家庭用薄葉紙収納箱１によれば、積層体Ｓの嵩高さが、容器本体１０の嵩高さに対して８３〜１００％であり、積層体Ｓの断面積が、容器本体１０の断面積に対して７２〜１００％であり、基材紙に対する薬液塗布率が２５〜２９ｗｔ％であり、且つ、基材紙は、１枚当たりの米坪が１６〜１８g/m２、乾燥紙力（縦方向）が３５０〜４５０ｃＮ、乾燥紙力（横方向）が１３０〜１７０ｃＮ、湿潤紙力（横方向）が６０〜１００ｃＮとなるように構成されることによって、基材紙の曲げ特性が上がることとなり、薬液の含浸量を増やしても容器本体１０内部で積層体Ｓの形態を好適に維持することができる。
【符号の説明】
【００２８】
１  家庭用薄葉紙入り家庭用薄葉紙収納箱
１０  容器本体
１１  上面
１２  底面
１３〜１６  側面
１７  取出口
１８  フィルム
１９  スリット
２０  家庭用薄葉紙
Ｓ  積層体
【図１】
0005399842.tif 000003
【図２】
0005399842.tif 000004